(57)【要約】【課題】文字色を適切に判別し，それぞれの領域に適切な処理を行うことで，出力画像の品質低下を最小限に抑制した画像処理装置を提供すること。【解決手段】画素色判別部３１は，画素ごとに有彩色としての条件を満たすか否かを判別する。また，黒色としての条件を満たすか否かについても判別する。一方，文字・輪郭領域抽出部３２は，文字や輪郭のエッジの内側領域を抽出する。色画素カウント部３３は，注目画素を中心とした所定の範囲内であって文字・輪郭領域かつ有彩色の条件を満たす画素をカウントする。黒画素カウント部３４は，注目画素を中心とした所定の範囲内であって文字・輪郭領域かつ黒色の条件を満たす画素をカウントする。比較部３５は，色画素カウント部３３のカウント値の方が大きい場合は注目画素を有彩色の画素とする。一方，黒画素カウント部３４のカウント値の方が大きい場合は注目画素を黒色の画素とする。【選択図】　　　　　　図２
2004134910.tif 000002
【特許請求の範囲】
【請求項１】
画像データを取り扱う画像処理装置において，
画素ごとに有彩色としての条件を満たすか否かを判別する色画素条件判別手段と，
画素ごとに無彩色としての条件を満たすか否かを判別する黒画素条件判別手段と，
前記色画素条件判別手段の判別結果を基に，注目画素の周囲の所定の範囲内で有彩色としての条件を満たしている画素をカウントする色画素カウント手段と，
前記黒画素条件判別手段の判別結果を基に，注目画素の周囲の所定の範囲内で無彩色としての条件を満たしている画素をカウントする黒画素カウント手段と，
前記色画素カウント手段にてカウントされた値と前記黒画素カウント手段にてカウントされた値とを比較し，前記色画素カウント手段のカウント値が前記黒画素カウント手段のカウント値より大きい場合は注目画素を有彩色の画素とし，前記黒画素カウント手段のカウント値が前記色画素カウント手段のカウント値より大きい場合は注目画素を無彩色の画素とする画素色判別手段とを有することを特徴とする画像処理装置。
【請求項２】
請求項１に記載する画像処理装置において，
前記色画素条件判別手段で使用する有彩色としての条件の境界と，前記黒画素条件判別手段で使用する無彩色としての条件の境界とが異なることを特徴とする画像処理装置。
【請求項３】
請求項１または請求項２に記載する画像処理装置において，
画像データからエッジを検出し，エッジの内側を含むエッジに囲まれた領域を抽出するエッジ領域抽出手段を有し，
前記色画素カウント手段および前記黒画素カウント手段は，前記エッジ領域抽出手段で抽出された領域内の各画素を注目画素とし，前記エッジ領域抽出手段で抽出された領域内の画素のみをカウント対象とすることを特徴とする画像処理装置。
【発明の詳細な説明】
【０００１】
【発明の属する技術分野】
本発明は，画像処理を行う画像処理装置に関する。さらに詳細には，画像の属性を判別し，その属性に適した画像処理を行う画像処理装置に関するものである。
【０００２】
【従来の技術】
従来から，カラー画像を形成する画像処理装置にあっては，有彩色の領域は，Ｃ（シアン），Ｍ（マゼンタ），Ｙ（イエロー）の３色トナーもしくはそれらの混色により再現されている。一方，黒文字や黒細線等の領域は，Ｋ（ブラック）色のトナーのみによって再現されている。また，カラー原稿を読み撮り，読撮り後の画像データを基にカラー画像を形成するカラー複写機等にあっては，文字等のエッジ検出処理とともにエッジ内の画素について有彩色／無彩色の色判別処理が行われている。そして，色判別処理では画素ごとに明度や彩度を検出し，検出された明度や彩度を基に有彩色／無彩色の判別を行っている。
【０００３】
また，読撮り系にて原稿を読み撮る際に，エッジ付近の画素は下地の影響等により，検出される明度や彩度が本来の値と異なる場合がある。このため，色判別処理の判別精度が低下する。この問題に着目した技術文献としては，特許文献１がある。この文献に記載された技術では，有彩色と判定された画素について，さらに色にじみの影響を受けているか否かを判別している。そして，色にじみの影響を受けている場合には判定結果を無彩色に補正することによって判別精度の低下を抑制している。
【０００４】
【特許文献１】
特開２００１−２１８０７１号公報
【０００５】
【発明が解決しようとする課題】
しかしながら，前記した特許文献１の技術では以下のような問題があった。すなわち，無彩色の文字を有彩色の文字に誤認識する不具合は回避できるが，有彩色の文字を無彩色の文字に誤認識する不具合を回避することができない。
【０００６】
本発明は，前記した従来の技術が有する問題点を解決するためになされたものである。すなわちその課題とするところは，文字色を適切に判別し，それぞれの領域に適切な処理を行うことで，出力画像の品質低下を最小限に抑制した画像処理装置を提供することにある。
【０００７】
【課題を解決するための手段】
この課題の解決を目的としてなされた画像処理装置は，画像データを取り扱う画像処理装置であって，画素ごとに有彩色としての条件を満たすか否かを判別する色画素条件判別手段と，画素ごとに無彩色としての条件を満たすか否かを判別する黒画素条件判別手段と，色画素条件判別手段の判別結果を基に，注目画素の周囲の所定の範囲内で有彩色としての条件を満たしている画素をカウントする色画素カウント手段と，黒画素条件判別手段の判別結果を基に，注目画素の周囲の所定の範囲内で無彩色としての条件を満たしている画素をカウントする黒画素カウント手段と，色画素カウント手段にてカウントされた値と前記黒画素カウント手段にてカウントされた値とを比較し，前記色画素カウント手段のカウント値が前記黒画素カウント手段のカウント値より大きい場合は注目画素を有彩色の画素とし，前記黒画素カウント手段のカウント値が前記色画素カウント手段のカウント値より大きい場合は注目画素を無彩色の画素とする画素色判別手段とを有するものである。
【０００８】
本発明の画像処理装置は，画素ごとに色画素条件判別手段にて有彩色の条件を満たすか否かを判別し，黒画素条件判別手段にて無彩色の条件を満たすか否かを判別している。各色の判別は互いに独立している。そして，色画素カウント手段にて，注目画素を中心とした所定の範囲内であって有彩色としての条件を満たす画素をカウントしている。一方，黒画素カウント手段にて，注目画素を中心とした所定の範囲内であって無彩色としての条件を満たす画素をカウントしている。そして，画素色判別手段にて，色画素カウント手段のカウント値と黒画素カウント手段のカウント値とを比較することで注目画素についての色判別をしている。すなわち，周辺の画素に有彩色としての条件を満たす画素の方が多い場合には，注目画素を有彩色とする。一方，無彩色としての条件を満たす画素の方が多い場合には，注目画素を無彩色とする。これにより，注目画素について，その周囲の状況を加味した上で適切な色に判別することができる。従って，色判別の精度が高い。
【０００９】
また，本発明の画像処理装置において，色画素条件判別手段で使用する有彩色としての条件の境界と，前記黒画素条件判別手段で使用する無彩色としての条件の境界とが異なることとするとよりよい。これにより，有彩色か無彩色かの判断が困難な画素については，判断の要素から除外することができる。具体的には，そのような画素については，有彩色および無彩色の条件をともに満たすように各条件を設定する。このように設定した場合には，当該画素は色画素カウント手段でも黒画素カウント手段でもカウントされる。そのため，画素色判別手段での比較には影響しない。あるいは，そのような画素については，有彩色および無彩色の条件をともに満たさないように各境界を設定してもよい。そのように設定した場合には，当該画素は色画素カウント手段でも黒画素カウント手段でもカウントされない。そのため，この場合であっても画素色判別手段での比較には影響しない。従って，色判別の誤認識が抑制される。
【００１０】
また，本発明の画像処理装置において，画像データからエッジを検出し，エッジの内側を含むエッジに囲まれた領域を抽出するエッジ領域抽出手段を有し，色画素カウント手段および黒画素カウント手段は，エッジ領域抽出手段で抽出された領域内の各画素を注目画素とし，エッジ領域抽出手段で抽出された領域内の画素のみをカウント対象とすることとするとよりよい。これにより，エッジの外側である下地領域の画素が，色画素カウント手段および黒画素カウント手段でのカウントの対象から除外される。具体的には，色画素カウント手段についてカウントの対象とする画素は，エッジ領域抽出手段が抽出した領域内の画素であって，注目画素の周囲の所定の範囲内であり有彩色の条件を満たしている画素である。また，黒画素カウント手段についてカウントの対象とする画素は，エッジ領域抽出手段が抽出した領域内の画素であって，注目画素の周囲の所定の範囲内であり無彩色の条件を満たしている画素である。すなわち，色判別の対象を文字等の領域内の画素についてのみとした場合に，判別の対象でない下地領域の画素をカウントの対象としていない。よって，下地領域の画素の影響を受けることがなく，色判別の精度は高い。
【００１１】
【発明の実施の形態】
以下，本発明に係る画像処理装置を具体化した実施の形態について図面に基づいて説明する。本形態の画像処理装置は，図１に示すように，色変換部１と，領域判別部２と，エッジ再生部５と，画像形成エンジン６とを備えている。また，領域判別部２は，文字判別部３と，網点領域部４とを有している。なお，色変換部１，文字判別部３，および網点判別部４は画像データの入力を受ける。
【００１２】
次に，図１中の各構成部について説明する。色変換部１は，入力された画像データを，ＲＧＢ等の入力系の信号からＣＭＹＫ等の出力系の信号に変換するものである。一方，領域判別部２は，入力された画像データの領域の属性を判別するものである。また，領域判別部２中の文字判別部３は，入力された画像データ中の文字領域（細線も含む）を抽出し，画素ごとに文字領域であるか否かの信号を発生するものである。一方，領域判別部２中の網点判別部４は，画像データ中の網点領域を検出し，画素ごとに網点領域であるか否かの信号を発生するものである。そして，エッジ再生部５は，領域判別部２から出力された信号に従って，色変換部１が出力した画像データに対して強調やスムージング等の補正処理を行うものである。また，画像形成エンジン６は，エッジ再生部５から出力される画像データに基づき紙等の媒体上に画像形成するものである。なお，画像形成エンジン６は，感光体とトナーとによるもの，あるいはインクジェット等，画像データに基づくものであるなら何でもよい。
【００１３】
次に，文字判別部３について詳説する。文字判別部３は，図２に示すように画素色判別部３１と，文字・輪郭領域抽出部３２と，色画素カウント部３３と，黒画素カウント部３４と，比較部３５と，ＡＮＤ回路３６，３７とを備えている。詳細には，画素色判別部３１は，画素ごとに有彩色の条件を満たすか否かを判別するものである。また，有彩色の判別とは別に，画素ごとに黒色（灰色も含む）の条件を満たすか否かも判別するものである。文字・輪郭領域抽出部３２は，画像データ中の文字領域，または輪郭のエッジの内側であってエッジに接する領域（以下，「文字・輪郭領域」とする）を抽出するものである。また，色画素カウント部３３は，注目画素を中心とした所定の範囲内で有彩色としての条件を満たしている画素をカウントするものである。黒画素カウント部３４は，注目画素を中心とした所定の範囲内で黒色としての条件を満たしている画素をカウントするものである。そして，比較部３５は，有彩色としての条件を満たしている画素数と黒色としての条件を満たしている画素数とを比較して注目画素の色が有彩色であるか黒色であるかを判断するものである。
【００１４】
次に，文字判別部３の動作について説明する。まず，画像データが画素色判定部３１および文字・輪郭領域抽出部３２に送られる。画素色判別部３１では，画素ごとに有彩色であるか否かの判別が行われる。また，画素ごとに有彩色フラグを有しており，有彩色と判別された場合には当該画素に対応する有彩色フラグが立てられる。判別結果はＡＮＤ回路３６に出力される。また，有彩色であるか否かの判別とは別に，画素ごとに黒色であるか否かの判別も行わる。また，画素ごとに黒色フラグを有しており，黒色と判別された場合には当該画素に対応する黒色フラグが立てられる。判別結果はＡＮＤ回路３７に出力される。この画素色判別部３１では，判別の条件によっては同一の画素について，有彩色フラグおよび黒色フラグがともに立つ場合がある。あるいは，有彩色フラグおよび黒色フラグが両方とも立たない場合がある。なお，画素色判別部３１での色判別結果は，仮の判断であって最終決定ではない。
【００１５】
ここで画素色判別部３１での色判別処理について詳説する。まず，入力画像データを基に，画素ごとに明度データおよび彩度データが作成される。そして，当該明度データおよび彩度データを基に，画素ごとに有彩色としての条件を満たすか否かの判別が行われる。有彩色の条件を満たすか否かは，図３に示すような色用リファレンステーブルに注目画素の明度および彩度を適用することにより行われる。なお，明度が一定値以上（図３中の「白ゾーン」）の画素については，彩度の値に関係なく白色と判断し，以降の判別処理を行わない。色用リファレンステーブルでは，有彩色であるか否かの境界（以下，「色ゾーン境界」とする）が設定されている。画素色判別部３１は，注目画素が色ゾーン境界より図３中の上に位置するゾーン（以下，「色ゾーン」とする）に含まれれば有彩色の条件を満たすと判断する。そして，条件を満たすことにより当該画素に対応する有彩色フラグを立てる。
【００１６】
また，有彩色であるか否かの判別とは別に，黒色としての条件を満たすか否かの判別も行われる。黒色の条件を満たすか否かは，図４に示すような黒用リファレンステーブルに注目画素の明度および彩度を適用することにより行われる。黒用リファレンステーブルでは，黒色であるか否かの境界（以下，「黒ゾーン境界」とする）が設定されている。画素色判別部３１は，注目画素が黒ゾーン境界より図４中の下に位置するゾーン（以下，「黒ゾーン」とする）に含まれれば黒色の条件を満たすと判断する。そして，条件を満たすことにより当該画素に対応する黒色フラグを立てる。
【００１７】
なお，色ゾーン境界と黒ゾーン境界とは一致しない。すなわち，明度および彩度の値によっては図５に示すように，有彩色フラグと黒色フラグとが両方とも立つ場合がある（以下，両フラグが立つゾーンを「色・黒ゾーン」とする）。
【００１８】
また，各リファレンステーブルの境界は，図６に示すような彩度と明度との関係を基に設定される。すなわち，色として存在するか否かの境界は，図６の実線に示すように所定の明度値を頂点とした凸型の曲線で表される。この曲線の外側（図６中の上側）に該当する色は存在しない。このため，明度値が黒色に近づくほど，もしくは白色に近づくほど色として存在しえる彩度値の範囲が狭い。そこで，色ゾーン境界および黒ゾーン境界も，より適切に色判別するために図６の破線に示すように，所定の明度値を頂点とした凸型の曲線となるように設定している。すなわち境界は，明度値が黒色に近づくほど，もしくは白色に近づくほど彩度値の範囲も狭い。なお，図６では境界の例を１本の破線で示しているが，色ゾーン境界および黒ゾーン境界のそれぞれに異なった境界が設定されている。
【００１９】
一方，文字・輪郭領域抽出部３２では，入力画像データに対して文字領域を抽出するための２値化処理等を行うことにより文字領域（エッジで囲まれた領域）および輪郭領域（エッジの内側であってエッジに接する領域）が抽出される。そして，その結果がＡＮＤ回路３６，３７に出力される。
【００２０】
次に，ＡＮＤ回路３６では，文字・輪郭領域かつ有彩色フラグが立っている画素が抽出され，その結果が色画素カウント部３３に出力される。そして，色画素カウント部３３では，注目画素の周辺領域であって有彩色フラグが立っている画素がカウントされる。詳細には，注目画素を中心として縦方向にｍドットおよび横方向にｎドットの範囲内（ｍ，ｎは任意の数）にある文字・輪郭領域かつ有彩色フラグが立っている画素がカウントされる。一方，ＡＮＤ回路３７では，文字・輪郭領域かつ黒色フラグが立っている画素が抽出され，その結果が黒画素カウント部３４に出力される。そして，黒画素カウント部３４では，注目画素の周辺領域であって黒色フラグが立っている画素がカウントされる。なお，周辺領域の範囲は，色画素カウント部３３，黒画素カウント部３４ともに同じ大きさである。色画素カウント部３３および黒画素カウント部３４のカウント値は，それぞれ比較部３５に出力される。
【００２１】
次に，比較部３５では，色画素カウント部３３のカウント値と，黒画素カウント部３４のカウント値とが比較される。すなわち，注目画素を中心とする所定の範囲内にある有彩色フラグが立っている画素数と黒色フラグが立っている画素数とが比較される。そして，色画素カウント部３３のカウント値の方が大きい場合には，注目画素を有彩色とする。一方，黒画素カウント部３４のカウント値の方が大きい場合には，注目画素を黒色とする。これにより，注目画素が色・黒ゾーンに該当する場合であっても，当該画素の周辺の状況を加味した上で有彩色／黒色の判別が行われる。この比較結果が色判別の最終決定である。この色判別結果は，それぞれ色領域信号，黒領域信号としてエッジ再生部５に出力される。
【００２２】
なお，エッジ再生部５では，色領域信号および黒領域信号を基に強調処理を行う。ここで強調されるのは黒色の文字等のエッジであり，それ以外の領域のエッジは強調されない。そして，画像形成エンジン６では，エッジ再生部５により強調された画像データに基づき画像を形成する。
【００２３】
次に，画素ごとの色判別処理を，図７のフローチャートを用いて説明する。まず，注目画素が文字・輪郭領域であるか否かを判断する（Ｓ１）。文字・輪郭領域でない場合（Ｓ１：ＮＯ）は，本処理を終了する。文字・輪郭領域である場合（Ｓ１：ＹＥＳ）は，注目画素を中心とした所定の範囲内にある有彩色フラグが立っている画素数と黒色フラグが立っている画素数とを求める（Ｓ２）。次に，Ｓ２の処理にて求められた有彩色フラグが立っている画素数と黒色フラグが立っている画素数とを比較する（Ｓ３）。有彩色フラグが立っている画素数の方が多い場合（Ｓ３：ＹＥＳ）は，注目画素を有彩色と判断する（Ｓ４）。黒色フラグが立っている画素数の方が多い場合（Ｓ３：ＮＯ）は，注目画素を黒色と判断する（Ｓ５）。そして，Ｓ４の処理またはＳ５の処理の終了後に本処理を終了する。本処理により注目画素の色判別を行うことができる。
【００２４】
次に，各領域の画素数のカウント処理（Ｓ２）を，図８のフローチャートを用いて説明する。まず，有彩色としての条件を満たす画素をカウントするための色画素カウント値と，黒色としての条件を満たす画素をカウントするための黒画素カウント値とをともに０に初期化する（Ｓ２１）。また，注目画素を中心として縦方向にｍドットおよび横方向にｎドットの範囲（以下，「ｍ×ｎ領域」とする）内に含まれる画素の１つを選択する。次に，選択された画素について有彩色フラグが立っているか否かを判断する（Ｓ２２）。有彩色フラグが立っている場合（Ｓ２２：ＹＥＳ）は，色画素カウント値に１を加算する（Ｓ２３）。Ｓ２３の処理後または有彩色フラグが立っていない場合（Ｓ２２：ＮＯ）は，当該画素について黒色フラグが立っているか否かを判断する（Ｓ２４）。黒色フラグが立っている場合（Ｓ２４：ＹＥＳ）は，黒画素カウント値に１を加算する（Ｓ２５）。Ｓ２５の処理後または黒色フラグが立っていない場合（Ｓ２４：ＮＯ）は，Ｓ２６の処理に移行する。次に，ｍ×ｎ領域内のすべての画素について，色判別が行われたか否かを判断する（Ｓ２６）。色判別が行われていない画素がある場合（Ｓ２６：ＮＯ）には，当該画素を選択してＳ２２の処理に移行する。すべての画素についての色判別が行われた場合（Ｓ２６：ＹＥＳ）には，本処理を終了する。本処理によって，ｍ×ｎ領域内における有彩色の条件を満たす画素数および黒色の条件を満たす画素数を算出することができる。
【００２５】
以上詳細に説明したように本形態の画像処理装置は，画素色判別部３１にて画素ごとに有彩色の条件を満たすか否かを判別し，有彩色であれば有彩色フラグを立てることとしている。また，黒色の条件を満たすか否かを判別し，黒色であれば黒色フラグを立てることとしている。そして，色画素カウント部３３にて，注目画素を中心とした所定の範囲内であって有彩色フラグが立っている画素をカウントすることとしている。一方，黒画素カウント部３４にて，注目画素を中心とした所定の範囲内であって黒色フラグが立っている画素をカウントすることとしている。また，比較部３５にて，色画素カウント部３３のカウント値と黒画素カウント値３４のカウント値とを比較することとしている。そして，色画素カウント部３３のカウント値の方が大きい場合は，注目画素を有彩色の画素としている。一方，黒画素カウント部３４のカウント値の方が大きい場合は，注目画素を黒色の画素としている。これにより，注目画素の色が不特定色の画素であっても，その周囲の状況を加味した上で色を判断することができる。従って，色判別の精度が高い。よって，文字色を適切に判別し，それぞれの領域に適切な処理を行うことで，出力画像の品質低下を最小限に抑制した画像処理装置が実現している。
【００２６】
また，画素色判別部３１では，有彩色の条件と黒色の条件とのそれぞれに境界が設定されており，それぞれ別々に判別することとしている。そして，色ゾーン境界と黒ゾーン境界とが異なっており，有彩色の条件も黒色の条件も満たす不特定色の画素，すなわち色・黒ゾーンに属する画素が存在する場合がある。しかしながら，色・黒ゾーンに属する画素は有彩色フラグおよび黒色フラグの両方が立っており，色画素カウント部３３でも黒画素カウント部３４でもカウントされる。そのため，比較部３５での色判別に色・黒ゾーンに属する画素は影響しない。従って，色判別の誤認識が抑制される。
【００２７】
また，本形態の画像処理装置は，文字・輪郭領域抽出部３２にて文字・輪郭領域を抽出し，文字・輪郭領域内の画素についてのみ色画素カウント部３３および黒画素カウント部３４にてカウントすることとしている。すなわち，下地領域の画素を色判別の対象から除外している。従って，文字等の領域について，色判別の精度は高い。
【００２８】
なお，本実施の形態は単なる例示にすぎず，本発明を何ら限定するものではない。したがって本発明は当然に，その要旨を逸脱しない範囲内で種々の改良，変形が可能である。例えば，画像処理装置の画像形成先は紙上に行われるものに限らず，パソコン等のディスプレイ装置上に行うものとしてもよい。
【００２９】
また，本形態の画像処理装置では，文字・輪郭領域内の画素について色判別を行っているが，これに限るものではない。すなわち，文字・輪郭領域に限定せずに下地側の領域の画素について色判別を行ってもよい。
【００３０】
また，本形態の画像処理装置では，白色ゾーンに属する画素以外の画素について色判別処理を行っているが，これに限るものではない。例えば，次のようなこともできる。すなわち，有彩色フラグのみが立っている画素については，周囲の画素の各フラグから判別するまでもなく有彩色と判断し，黒色フラグのみが立っている画素については黒色と判断するのである。そのため，有彩色フラグおよび黒色フラグがともに立っている画素（図５中の色・黒ゾーン）についてのみ，周囲の画素の各フラグから色判別するのである。また，もう１つの例としては，次のようなこともできる。すなわち，黒色フラグのみが立っている画素については，周囲の画素の各フラグから判別するまでもなく黒色と判断するのである。そして，有彩色フラグのみが立っている画素，および有彩色フラグと黒色フラグとがともに立っている画素については，周囲の画素の各フラグから色判別するのである。
【００３１】
また，本形態の画像処理装置では，図５に示したように黒ゾーンと色ゾーンとの一部が重複するように色ゾーン境界と黒ゾーン境界とが設定されているが，これに限るものではない。例えば，次のようなこともできる。すなわち，図９に示すようにどのゾーンにも属さない画素が存在するように色ゾーン境界と黒ゾーン境界とを設定するのである。そのような画素については，有彩色フラグと黒色フラグとが両方とも立たない。しかし，注目画素を中心として周囲にある有彩色フラグが立っている画素と黒色フラグが立っている画素とをそれぞれカウントすることにより適切に色判別するのである。また，このように設定された場合であっても，前述したように一方のみのフラグが立っている場合には，周囲の画素の各フラグから判別するまでもなく色を判断し，有彩色フラグおよび黒色フラグが両方とも立たない画素についてのみ，周囲の画素の各フラグから色判別することとしてもよい。さらには，黒色フラグのみが立っている場合には周囲の画素の各フラグから判別するまでもなく色を判断し，有彩色フラグのみが立っている画素，および有彩色フラグと黒色フラグとがともに立っている画素については，周囲の画素の各フラグから色判別することとしてもよい。
【００３２】
また，もう１つの例としては，次のようなこともできる。すなわち，図１０に示すように黒ゾーン境界と色ゾーン境界とを同じになるように設定するのである。この場合には，画素色判別部３１にて誤った判別をしてしまうことはある。しかし，注目画素を中心として周囲にある有彩色フラグが立っている画素と黒色フラグが立っている画素とをそれぞれカウントすることにより，最終的には適切に色判別するのである。
【００３３】
【発明の効果】
以上の説明から明らかなように本発明によれば，文字色を適切に判別し，それぞれの領域に適切な処理を行うことで，出力画像の品質低下を最小限に抑制した画像処理装置が提供されている。
【図面の簡単な説明】
【図１】実施の形態における画像処理装置の機能に関するブロック構成図である。
【図２】文字判別部の文字色判別機能に関するブロック構成図である。
【図３】色ゾーン用の判定テーブルを示す図である。
【図４】黒ゾーン用の判定テーブルを示す図である。
【図５】色ゾーンの判定テーブルと黒ゾーンの判定テーブルとを重ね合わせた場合（重複ゾーンあり）を示す図である。
【図６】彩度と明度との関係を示す図である。
【図７】画素ごとの色判別処理についてのフローチャートである。
【図８】画素色のカウント動作についてのフローチャートである。
【図９】色ゾーンの判定テーブルと黒ゾーンの判定テーブルとを重ね合わせた場合（重複ゾーンなし）を示す図である。
【図１０】色ゾーンの判定テーブルと黒ゾーンの判定テーブルとを重ね合わせた場合（境界同一）を示す図である。
【符号の説明】
３１　　画素色判定部（色画素条件判別手段／黒画素条件判別手段）
３２　　文字・輪郭領域抽出部（エッジ領域抽出手段）
３３　　色画素カウント部（色画素カウント手段）
３４　　黒画素カウント部（黒画素カウント手段）
３５　　比較部（画素色判別手段）
３６　　ＡＮＤ回路
３７　　ＡＮＤ回路
【図１】
2004134910.tif 000003
【図２】
2004134910.tif 000004
【図３】
2004134910.tif 000005
【図４】
2004134910.tif 000006
【図５】
2004134910.tif 000007
【図６】
2004134910.tif 000008
【図７】
2004134910.tif 000009
【図８】
2004134910.tif 000010
【図９】
2004134910.tif 000011
【図１０】
2004134910.tif 000012